(57)【要約】【課題】輝度ムラの発生を抑えて均一な発光を可能とするとともに、グラデーションを自在にコントロールしてデザイン性に優れた光を演出することができるエンブレム発光装置を提供すること。【解決手段】表面にエンブレム９が取り付けられたアウタレンズ３とこれを覆うハウジング２によって画成される空間内に、前記エンブレム９に沿う細長いインナレンズ５と、該インナレンズ５の長手方向端面に対向配置されたＬＥＤ７を収容してエンブレム発光装置１を構成し、前記インナレンズ５の内部に、前記ＬＥＤ７からの光を入射させる空洞部５ａを長手方向に沿って形成し、該空洞部５ａの内面に拡散部１０を長手方向に沿って形成してその部分を擬似光源とする。【選択図】図４
2015041444.tif 000002
【特許請求の範囲】
【請求項１】
表面にエンブレムが取り付けられたアウタレンズとこれを覆うハウジングによって画成される空間内に、前記エンブレムに沿う細長いインナレンズと、該インナレンズの長手方向端面に対向配置されたＬＥＤを収容して構成され、
前記インナレンズの内部に、前記ＬＥＤからの光を入射させる空洞部を長手方向に沿って形成し、該空洞部の内面に拡散部を長手方向に沿って形成してその部分を擬似光源とすることを特徴とするエンブレム発光装置。
【請求項２】
前記インナレンズの空洞部のサイズを前記光源から遠ざかるほど小さく設定したことを特徴とする請求項１記載のエンブレム発光装置。
【請求項３】
前記インナレンズの軸中心部に第１の空洞部を形成し、該第１の空洞部の径方向外側に第２の空洞部を形成し、前記第１の空洞部に前記ＬＥＤからの光を入射させるよう構成したことを特徴とする請求項１又は２記載のエンブレム発光装置。
【請求項４】
前記インナレンズに複数のレンズ面を形成したことを特徴とする請求項１〜３の何れかにに記載のエンブレム発光装置。
【請求項５】
前記レンズ面の焦点を前記拡散部の位置に設けたことを特徴とする請求項４記載のエンブレム発光装置。
【発明の詳細な説明】
【技術分野】
【０００１】
本発明は、エンブレムの周縁をＬＥＤからの光によって発光させるエンブレム発光装置に関するものである。
【背景技術】
【０００２】
例えば、車両の車体にはメーカー名や車種名、グレード等を表示するエンブレムが取り付けられているが、このエンブレムの夜間での視認性を高めるために該エンブレムの周縁を発光させることが行われている。
【０００３】
エンブレムを発光させる発光装置としては、エンブレムの透光部にＬＥＤからの光を通過させることによって発光させるものが使用されており、これに関して例えば特許文献１には図２２に示すようなものが提案されている。
【０００４】
即ち、図２２は特許文献１において提案されたエンブレム発光装置要部の断面図であり、図示のエンブレム発光装置１０１においては、エンブレム１０９の裏面側に配置されたケーシング１０３の内周面の全周にフレキシブル基板１０６を配置し、このフレキシブル基板１０６に複数のＬＥＤチップ１０５を周方向に適当な間隔で設けている。又、エンブレム１０９の裏面には拡散板１０４が接着されており、ケーシング１０３の底面には乳白色の塗膜１１５が形成されている。
【０００５】
斯かるエンブレム発光装置１０１において、各ＬＥＤチップ１０５に通電されて該ＬＥＤチップ１０５が発光すると、その光はケーシング１０３の底面に形成された塗膜１１５で反射して拡散板１０４へと向かい、その一部は拡散板１０４によって拡散されつつエンブレム１０９のくり抜き部１０９ａを通過してエンブレム１０９の周縁を発光させる。このエンブレム発光装置１０１によれば、ＬＥＤチップ１０５から出射される指向性の強い光を塗膜１１５で反射させて拡散させ、その反射光を拡散板１０４によって更に拡散させることによって指向性を和らげることができるため、均一で上品な発光を実現することができる。
【０００６】
又、特許文献２には図２３に示すようなエンブレム発光装置が提案されている。
【０００７】
即ち、図２３は特許文献２において提案されたエンブレム発光装置要部の断面図であり、図示のエンブレム発光装置２０１においては、導光板２０２の柱状体２０２Ａの上方に配置されたＬＥＤ光源２０５から出射された光が導光板２０２の柱状体２０２Ａの内部を伝播し、この光が柱状体２０２Ａの真下に形成された半球形状の凹部２０２ａで反射して水平方向に拡散するため、導光板２０２の全体が発光し、この光が不図示のエンブレムのくり抜き部(透光部)を通過することによってエンブレムの周縁を発光させる構成が採用されている。
【０００８】
更に、特許文献３には図２４に示すようなエンブレム発光装置が提案されている。
【０００９】
即ち、図２４は特許文献３において提案されたエンブレム発光装置の縦断面図であり、図示のエンブレム発光装置３０１においては、エンブレム（意匠体）３０９のロゴ形状部に形成された凹所（空間収納部）３０９ａにＬＥＤ３０５を収容し、エンブレム３０９の背面側から光を照射する構成が採用されており、これによればＬＥＤ３０５の輝度の高い部分が取り除かれて色ムラの無い均一な発光が可能となる。
【先行技術文献】
【特許文献】
【００１０】
【特許文献１】実用新案登録第３１６９５６４号公報
【特許文献２】特許第４７９００９５号公報
【特許文献３】特開２０１２−０８３５２０号公報
【発明の概要】
【発明が解決しようとする課題】
【００１１】
しかしながら、特許文献１〜３において提案されたエンブレム発光装置１０１，２０１，３０１は、均一な発光を目的としてはいるが、指向性の強い光を出射するＬＥＤ１０５，２０５，３０５からの距離が近い箇所の輝度が高くなり、全体的に輝度ムラが発生するという問題がある。この問題を解消するためには、ＬＥＤ１０５，２０５，３０５への供給電流を増やして光量を上げたり、ＬＥＤ１０５，２０５，３０５の数を増やし、或いはシボ加工を施したり拡散シートを用いて光を拡散する必要があり、消費電力の増大やコストアップを招いてしまう。
【００１２】
又、特許文献１〜３において提案されたエンブレム発光装置１０１，２０１，３０１は、ＬＥＤ１０５，２０５，３０５から出射される光の輝度をコントロールすることができない構造であるため、色ムラの発生を抑えることができず、任意の箇所の輝度を微調整したり、微妙なグラデーション（陰影の差）を表現することができないという問題がある。
【００１３】
本発明は上記問題に鑑みてなされたもので、その目的とする処は、輝度ムラの発生を抑えて均一な発光を可能とするとともに、グラデーションを自在にコントロールしてデザイン性に優れた光を演出することができるエンブレム発光装置を提供することにある。
【課題を解決するための手段】
【００１４】
上記目的を達成するため、請求項１記載の発明は、表面にエンブレムが取り付けられたアウタレンズとこれを覆うハウジングによって画成される空間内に、前記エンブレムに沿う細長いインナレンズと、該インナレンズの長手方向端面に対向配置されたＬＥＤを収容してエンブレム発光装置を構成し、前記インナレンズの内部に、前記ＬＥＤからの光を入射させる空洞部を長手方向に沿って形成し、該空洞部の内面に拡散部を長手方向に沿って形成してその部分を擬似光源とすることを特徴とする。
【００１５】
請求項２記載の発明は、請求項１記載の発明において、前記インナレンズの空洞部のサイズを前記光源から遠ざかるほど小さく設定したことを特徴とする。
【００１６】
請求項３記載の発明は、請求項１又は２記載の発明において、前記インナレンズの軸中心部に第１の空洞部を形成し、該第１の空洞部の径方向外側に第２の空洞部を形成し、前記第１の空洞部に前記ＬＥＤからの光を入射させるよう構成したことを特徴とする。
【００１７】
請求項４記載の発明は、請求項１〜３の何れかに記載の発明において、前記インナレンズに複数のレンズ面を形成したことを特徴とする。
【００１８】
請求項５記載の発明は、請求項４記載の発明において、前記レンズ面の焦点を前記拡散部の位置に設けたことを特徴とする。
【発明の効果】
【００１９】
請求項１記載の発明によれば、光源からインナレンズの空洞部の長手方向へと入射する光は、空洞部の内面に長手方向に沿って形成された拡散部で反射及び拡散してインナレンズから出射し、エンブレム周縁の照明に供される。このため、インナレンズの空洞部に長手方向に沿って形成された拡散部が擬似光源として機能し、インナレンズから出射する光の強さと光量が該インナレンズの長手方向に沿って均一となり、エンブレム周縁の輝度ムラの発生が抑えられて均一な発光を実現することができる。又、インナレンズによって配光を制御することによってグラデーションを自在にコントロールし、デザイン性に優れた光を演出することができる。
【００２０】
請求項２記載の発明によれば、インナレンズの空洞部のサイズを光源から遠ざかるほど小さく設定したため、インナレンズの空洞部にＬＥＤ等の指向性の強い光を出射する光源からの光が入射した場合であっても、光源から遠い箇所において光がインナレンズの拡散部で反射及び拡散し、拡散部がその全長に亘って擬似光源としての機能を果たすことができる。
【００２１】
請求項３記載の発明によれば、インナレンズの軸中心部に形成された第１の空洞部へと入射した光は、第２空洞部を経てインナレンズから出射する過程で屈折を繰り返すため、その配光が制御され易くなる。
【００２２】
請求項４記載の発明によれば、光源からの光は、インナレンズに形成された複数のレンズ面によって配光が制御されるため、エンブレム周縁の所望の範囲を照明することができる。
【００２３】
請求項５記載の発明によれば、インナレンズに形成されたレンズ面の焦点を拡散部の位置に設けたため、光源からの光の配光を一層制御し易くなる。
【図面の簡単な説明】
【００２４】
【図１】本発明の実施の形態１に係るエンブレム発光装置の分解断面図である。
【図２】本発明の実施の形態１に係るエンブレム発光装置の部分平面図である。
【図３】図２のＡ部拡大詳細図である。
【図４】図２のＢ−Ｂ線断面図である。
【図５】図２のＣ−Ｃ線断面図である。
【図６】本発明の実施の形態２に係るエンブレム発光装置の部分平面図である。
【図７】図６のＤ−Ｄ線断面図である。
【図８】本発明の実施の形態３に係るエンブレム発光装置の部分平面図である。
【図９】図８のＥ−Ｅ線断面図である。
【図１０】本発明の実施の形態４に係るエンブレム発光装置の部分平面図である。
【図１１】図１０のＦ−Ｆ線断面図である。
【図１２】図１０のＦ−Ｆ線断面図である。
【図１３】本発明の実施の形態５に係るエンブレム発光装置の部分平面図である。
【図１４】図１３のＧ−Ｇ線断面図である。
【図１５】図１３のＧ−Ｇ線断面図である。
【図１６】本発明の実施の形態６に係るエンブレム発光装置の部分平面図である、
【図１７】図１６のＨ−Ｈ線断面図である。
【図１８】本発明の実施の形態７に係るエンブレム発光装置の部分平面図である。
【図１９】本発明の実施の形態７に係るエンブレム発光装置の第２のインナレンズの平面図である。
【図２０】本発明の実施の形態８に係るエンブレム発光装置の部分平面図である。
【図２１】本発明の実施の形態８に係るエンブレム発光装置の第２のインナレンズの平面図である。
【図２２】特許文献１において提案された発光装置の断面図である。
【図２３】特許文献２において提案された発光装置の断面図である。
【図２４】特許文献３において提案された発光装置の断面図である。
【発明を実施するための形態】
【００２５】
以下に本発明の実施の形態を添付図面に基づいて説明する。
【００２６】
＜実施の形態１＞
図１は本発明の実施の形態１に係るエンブレム発光装置の分解断面図、図２は同エンブレム発光装置の部分平面図、図３は図２のＡ部拡大詳細図、図４は図２のＢ−Ｂ線断面図、図５は図２のＣ−Ｃ線断面図である。
【００２７】
本実施の形態に係るエンブレム発光装置１は、図１、図４及び図５に示すように、ハウジング２とその開口部を覆うアウタレンズ３によって画成される空間内に、第１のインナレンズ４と、第２のインナレンズ５と、反射シート６及び光源であるＬＥＤ７を実装して成る基板８（図３参照）とを収容し、前記アウタレンズ３の表面にエンブレム９を取り付けることによって構成されている。このエンブレム発光装置１は、車両メーカー等のロゴを示す文字等のエンブレム９の夜間での視認性を高めるために該エンブレム９の周縁を発光させるためのものである。
【００２８】
前記ハウジング２は、光不透過性樹脂によって一体成形されており、その開口部を覆う前記アウタレンズ３は透明な光透過性樹脂や、光透過性樹脂に着色顔料を含有したものによって一体成形されている。
【００２９】
又、前記第１のインナレンズ４は前記アウタレンズ３に沿う形状を有する平板状の透明部材であって、その一部は切り欠かれており、その切欠部４ａには前記第２のインナレンズ５が組み込まれている（図４及び図５参照）。
【００３０】
ここで、アウタレンズ３と第１のインナレンズ４を取り外して第２のインナレンズ５部分を上から見た状態を図２に示すが、同図に示すように、第２のインナレンズ５は透明な直線状の棒状部材であって、前記エンブレム９の周縁に沿ってハウジング２を縦断するように図２の上下方向（図１、図４及び図５の紙面垂直方向）に長く配置されている。そして、この第２のインナレンズ５の下方には前記反射シート６が配置されている（図４及び図５参照）。
【００３１】
ところで、前記第２のインナレンズ５の軸中心部には円孔状の空洞部５ａが長手方向に沿って形成されており、この空洞部５ａの長手方向一端面（図２の下端面）の近傍には、図３に示すように、前記基板８に実装されたＬＥＤ７が対向配置されている。又、本実施の形態では、図３に示すように、第２のインナレンズ５の空洞部５ａの内面の相対向する左右２箇所には、シボ加工によって拡散部１０が長手方向（図３の上下方向）に沿って形成されている。ここで、本実施の形態では、図２に示すように、第２のインナレンズ５に形成された空洞部５ａの径は、ＬＥＤ７から遠ざかるに従って（図２の上方に向かうに従って）次第に小さくなるよう設定されている。
【００３２】
以上のように構成されたエンブレム発光装置１において、ＬＥＤ７が起動されてこれが発光すると、その光は、第２のインナレンズ５の長手方向一端（図２の下端）から空洞部５ａへと入射して該空洞部５ａを図２の上方に向かって進むが、その過程で、空洞部５ａに長手方向に沿って形成された拡散部１０において反射及び拡散する。そして、拡散部１０において反射及び拡散下光は、図２に示すように、第２のインナレンズ５を透過して出射し、図４及び図５に示すように、反射シート６で反射して上方に向かい、第１のインナレンズ４及びアウタレンズ３を透過してエンブレム９へと向かって出射し、エンブレム９の周縁を照明する。
【００３３】
而して、本実施の形態に係るエンブレム発光装置においては、第２のインナレンズ５の空洞部５ａに長手方向に沿って形成された拡散部１０が擬似光源として機能するため、第２のインナレンズ５から出射する光の強さと光量が該第２のインナレンズ５の長手方向に沿って均一となり、エンブレム９の周縁の輝度ムラの発生が抑えられて均一な発光が実現する。そして、この場合、第２のインナレンズ５によって配光を制御することによってグラデーションを自在にコントロールし、デザイン性に優れた光を演出することができる。
【００３４】
又、本実施の形態では、第２のインナレンズ５の空洞部５ａの径がＬＥＤ７から遠ざかるに従って次第に小さくなるようにしたため、ＬＥＤ７からの指向性の強い光が第２のインナレンズ５のＬＥＤ７から遠い箇所においても拡散部１０で反射及び拡散し、拡散部１０がその全長に亘って擬似光源として機能することができる。
【００３５】
＜実施の形態２＞
次に、本発明の実施の形態２を図６及び図７に基づいて以下に説明する。
【００３６】
図６は本発明の実施の形態２に係るエンブレム発光装置の部分平面図、図７は図６のＤ−Ｄ線断面図であり、これらの図においては図１〜図５において示したものと同一要素には同一符号を付しており、以下、それらについての再度の説明は省略する。
【００３７】
本実施の形態においては、第２のインナレンズ５を横断面形状が略長円形の棒状部材で構成し、図７に示すように、その軸中心部に円孔状の第１の空洞部５ａを長手方向（図７の紙面垂直方向）に沿って形成し、この第１の空洞部５ａの外側に左右２つの第２の空洞部５ｂを長手方向に沿って形成している。そして、第１の空洞部５ａの内面の相対向する左右２箇所には、シボ加工によって拡散部１０が長手方向に沿って形成されている。
【００３８】
又、本実施の形態に係る第２のインナレンズ５においては、図７に示すように、その両側に凸レンズ部５Ａが形成されるとともに、図示の箇所に複数のレンズ面ａ，ｂ，ｃ，ｄが形成されている。尚、その他の構成は前記実施の形態１に係るエンブレム発光装置１の構成と同じである。
【００３９】
而して、本実施の形態においては、ＬＥＤ７から第２のインナレンズ５の第１の空洞部５ａに入射した光は、第１の空洞部５ａを図６の上方に向かって進むが、その過程で、第１の空洞部５ａに長手方向に沿って形成された左右の拡散部１０において反射及び拡散する。そして、拡散部１０において反射及び拡散した光は、図７に示すように（図７には一方の拡散部１０において反射及び拡散する光のみを示す）、レンズ面ａにて屈折しながら第２のインナレンズ５に入射した後、レンズ面ｂにて屈折して第２の空洞部５ｂへと出射する。そして、第２の空洞部５ｂへと出射した光は、凸レンズ部５Ａのレンズ面ｃで屈折して凸レンズ部５Ａ内へと入射した後、該凸レンズ部５Ａのレンズ面ｄにて屈折して第２のインナレンズ５外へと出射してエンブレム９の照明に供される。尚、本実施の形態においては、図７に示すように、レンズ面ａの焦点が拡散部１０に位置するようにレンズ面ａの形状が設定されている。
【００４０】
以上のように、本実施の形態では、第２のインナレンズ５の軸中心部に形成された第１の空洞部５ａへと入射した光は、その外側の第２空洞部５ｂを経て凸レンズ部５Ａから出射する過程で屈折を繰り返すため、その配光が制御され易くなる。そして、ＬＥＤ７からの光は、第２のインナレンズ５に形成された複数のレンズ面ａ〜ｄによって配光が制御されるため、エンブレム９の周縁の所望の範囲（図６に示す領域Ｓ）を照明することができる。特に、本実施の形態では、第２のインナレンズ５に形成されたレンズ面ａの焦点を拡散部１０の位置に設けたため、ＬＥＤ７からの光の配光を一層制御し易くなる。
【００４１】
＜実施の形態３＞
次に、本発明の実施の形態３を図８及び図９に基づいて以下に説明する。
【００４２】
図８は本発明の実施の形態３に係るエンブレム発光装置の部分平面図、図９は図８のＥ−Ｅ線断面図であり、これらの図においては図６及び図７において示したものと同一要素には同一符号を付しており、以下、それらについての再度の説明は省略する。
【００４３】
本実施の形態においては、図９に示すように、第２のインナレンズ５の第１の空洞部５ａの片側だけに第２の空洞部５ｂを設け、第１の空洞部５ａの内面に１つの拡散部１０を長手方向に沿って形成したものであって、他の構成は前記実施の形態２の構成と同じである。
【００４４】
而して、本実施の形態によれば、ＬＥＤ７からの光を第２のインナレンズ５の片側の領域（図８に示す領域Ｓ）に照射することができ、本実施の形態においても、前記実施の形態２と同様の効果が得られる。
【００４５】
＜実施の形態４＞
次に、本発明の実施の形態４を図１０〜図１２に基づいて以下に説明する。
【００４６】
図１０は本発明の実施の形態４に係るエンブレム発光装置の部分平面図、図１１及び図１２は図１０のＦ−Ｆ線断面図であり、これらの図においては図８及び図９において示したものと同一要素には同一符号を付しており、以下、それらについての再度の説明は省略する。
【００４７】
本実施の形態においては、前記実施の形態３と同様の第２のインナレンズ５をその軸中心回りに回動可能とし、この第２のインナレンズ５を軸中心回りに所定角度だけ回動させて傾けることによって、例えば図１０に示すように、照射領域を領域Ｓ１から領域Ｓ２へと移動させることができる。このようなことは、図１２に示すように、第２のインナレンズ５のレンズ面ｃの形状を破線にて示すものから実線にて示すものに変更することによっても実現可能である。
【００４８】
＜実施の形態５＞
次に、本発明の実施の形態５を図１３〜図１５に基づいて以下に説明する。
【００４９】
図１３は本発明の実施の形態５に係るエンブレム発光装置の部分平面図、図１４及び図１５は図１３のＧ−Ｇ線断面図であり、これらの図においても図８及び図９において示したものと同一要素には同一符号を付しており、以下、それらについての再度の説明は省略する。
【００５０】
本実施の形態においては、第２のインナレンズ５の配光を広げるために凹レンズ部５Ｂとして図１４に示すようなものを用いたり、図１５に示すように凸レンズ部５Ａのレンズ面ｃの形状を変更したものであって、このような構成を採用することによって、図１３に示すように照射領域Ｓ３を広げることができる。
【００５１】
＜実施の形態６＞
次に、本発明の実施の形態６を図１６及び図１７に基づいて以下に説明する。
【００５２】
図１６は本発明の実施の形態６に係るエンブレム発光装置の部分平面図、図１７は図１６のＨ−Ｈ線断面図であり、これらの図においても図６及び図７において示したものと同一要素には同一符号を付しており、以下、それらについての再度の説明は省略する。
【００５３】
本実施の形態においては、図１７に示すように、第２のインナレンズ５の凸レンズ部５Ａのレンズ面ｄの焦点を遠くして該レンズ面ｄから出射する光を絞り、図１６に示す狭い領域Ｓ４に集光させるようにしてものであって、本実施の形態においても前記と同様の効果が得られる。
【００５４】
＜実施の形態７＞
次に、本発明の実施の形態７を図１８及び図１９に基づいて以下に説明する。
【００５５】
図１８は本発明の実施の形態７に係るエンブレム発光装置の部分平面図、図１９は同エンブレム発光装置の第２のインナレンズの平面図であり、本実施の形態においては、第２のインナレンズ５を複数の全反射面５ｃによって図１９に示すように長手方向に沿って複数（図示例では、７つ）に分割したものであって、このような構成を採用することによって、光の照射領域を図１８に示すように第２のインナレンズ５の長手方向に沿って複数の領域Ｓ５に分割することができる。
【００５６】
＜実施の形態８＞
次に、本発明の実施の形態８を図２０及び図２１に基づいて以下に説明する。
【００５７】
図２０は本発明の実施の形態８に係るエンブレム発光装置の部分平面図、図２１は同エンブレム発光装置の第２のインナレンズの平面図であり、本実施の形態においては、第２のインナレンズ５に形成される空洞部５ａを図２１に示すように円弧状に湾曲させたものであって、このような構成を採用することによって、光の照射領域Ｒ６を図２１に示すように円弧状に湾曲させることができ、様々な演出を行うことができる。
【符号の説明】
【００５８】
１        エンブレム発光装置
２        ハウジング
３        アウタレンズ
４        第１のインナレンズ
４ａ      第１のインナレンズの切欠部
５        第２のインナレンズ
５Ａ      第２のインナレンズの凸レンズ部
５Ｂ      第２のインナレンズの凹レンズ部
５ａ      第２のインナレンズの空洞部（第１の空洞部）
５ｂ      第２のインナレンズの第２の空洞部
５ｃ      第２のインナレンズの全反射面
６        反射シート
７        ＬＥＤ(光源）
８        基板
９        エンブレム
１０      拡散部
ａ〜ｄ    第２のインナレンズのレンズ面
【図１】
2015041444.tif 000003
【図２】
2015041444.tif 000004
【図３】
2015041444.tif 000005
【図４】
2015041444.tif 000006
【図５】
2015041444.tif 000007
【図６】
2015041444.tif 000008
【図７】
2015041444.tif 000009
【図８】
2015041444.tif 000010
【図９】
2015041444.tif 000011
【図１０】
2015041444.tif 000012
【図１１】
2015041444.tif 000013
【図１２】
2015041444.tif 000014
【図１３】
2015041444.tif 000015
【図１４】
2015041444.tif 000016
【図１５】
2015041444.tif 000017
【図１６】
2015041444.tif 000018
【図１７】
2015041444.tif 000019
【図１８】
2015041444.tif 000020
【図１９】
2015041444.tif 000021
【図２０】
2015041444.tif 000022
【図２１】
2015041444.tif 000023
【図２２】
2015041444.tif 000024
【図２３】
2015041444.tif 000025
【図２４】
2015041444.tif 000026